【手続補正書】
【提出日】平成15年10月24日(2003.10.24)
【手続補正１】
【補正対象書類名】明細書
【補正対象項目名】特許請求の範囲
【補正方法】変更
【補正の内容】
【特許請求の範囲】
【請求項１】
ワイヤハーネスのコネクタと、該コネクタを収容するコネクタフレームとを有する電気接続箱を防水ボックス内に収容する電気接続箱と防水ボックスの組付構造において、
前記コネクタフレームに少なくとも各一つの前記コネクタが収容され、該コネクタフレームに、前記防水ボックスの被係合部に対するスライド係合部が設けられたことを特徴とする電気接続箱と防水ボックスの組付構造。
【請求項２】
前記スライド係合部が前記ワイヤハーネスに固定されたことを特徴とする請求項１記載の電気接続箱と防水ボックスの組付構造。
【請求項３】
前記防水ボックスに、前記ワイヤハーネスを挿通させるハーネス導出口が設けられ、該ハーネス導出口に前記被係合部としてのガイド溝が設けられ、該ガイド溝に係合する前記スライド係合部としてのスライドカバーが前記コネクタフレームに設けられたことを特徴とする請求項１又は２記載の電気接続箱と防水ボックスの組付構造。
【請求項４】
前記各コネクタフレームに前記スライドカバーが一体に設けられたことを特徴とする請求項３記載の電気接続箱と防水ボックスの組付構造。
【請求項５】
前記各コネクタフレームに前記スライドカバーが別体で組み付けられたことを特徴とする請求項３記載の電気接続箱と防水ボックスの組付構造。
【請求項６】
前記コネクタフレームと前記コネクタのコネクタハウジングとが一体成形されたことを特徴とする請求項１〜５の何れかに記載の電気接続箱と防水ボックスの組付構造。
【請求項７】
前記防水ボックスが、前記コネクタフレームに対する位置決め用の支柱を有し、該コネクタフレームに、該支柱に対する係合孔部が設けられたことを特徴とする請求項１〜６の何れかに記載の電気接続箱と防水ボックスの組付構造。
【請求項８】
前記コネクタフレームが複数設けられ、各コネクタフレームに少なくとも各一つの前記コネクタが収容され、各コネクタフレームに、前記支柱に対する前記係合孔部がそれぞれ設けられたことを特徴とする請求項７記載の電気接続箱と防水ボックスの組付構造。
【手続補正２】
【補正対象書類名】明細書
【補正対象項目名】００１０
【補正方法】変更
【補正の内容】
【００１０】
【課題を解決するための手段】
上記目的を達成するために、本発明は、ワイヤハーネスのコネクタと、該コネクタを収容するコネクタフレームとを有する電気接続箱を防水ボックス内に収容する電気接続箱と防水ボックスの組付構造において、前記コネクタフレームに少なくとも各一つの前記コネクタが収容され、該コネクタフレームに、前記防水ボックスの被係合部に対するスライド係合部が設けられたことを特徴とする（請求項１）。
また、前記スライド係合部が前記ワイヤハーネスに固定されたことも有効である（請求項２）。
また、前記防水ボックスに、前記ワイヤハーネスを挿通させるハーネス導出口が設けられ、該ハーネス導出口に前記被係合部としてのガイド溝が設けられ、該ガイド溝に係合する前記スライド係合部としてのスライドカバーが前記コネクタフレームに設けられた構造も有効である（請求項３）。
また、前記各コネクタフレームに前記スライドカバーが一体に設けられた構造（請求項４）や、前記各コネクタフレームに前記スライドカバーが別体で組み付けられた構造（請求項５）も有効である。
また、前記コネクタフレームと前記コネクタのコネクタハウジングとが一体成形された構造も有効である（請求項６）。
また、前記防水ボックスが、前記コネクタフレームに対する位置決め用の支柱を有し、該コネクタフレームに、該支柱に対する係合孔部が設けられた構造（請求項７）や、前記コネクタフレームが複数設けられ、各コネクタフレームに少なくとも各一つの前記コネクタが収容され、各コネクタフレームに、前記支柱に対する前記係合孔部がそれぞれ設けられた構造（請求項８）も有効である。
【手続補正３】
【補正対象書類名】明細書
【補正対象項目名】００１７
【補正方法】変更
【補正の内容】
【００１７】
防水ボックス１２には縦長のワイヤハーネス導出口２３，２４が切欠形成されており、各一対のリブ１９，２０は、ワイヤハーネス導出口２３，２４の内側に進入し、スライドカバー（スライド係合部）２１，２２の両側部２１ａ，２２ａがワイヤハーネス導出口２３，２４の外側のガイド溝（被係合部）２５，２６にスライド係合する。ガイド溝２５，２６は防水ボックス１２の各壁部２７，２８と縦長のガイド壁２９，３０との間に構成されている。コネクタフレーム１，２は各係合孔部１０，８とスライドカバー２１，２２の両側部２１ａ，２２ａとの三点支持で正確に位置決めされる。


【手続補正４】
【補正対象書類名】明細書
【補正対象項目名】００２６
【補正方法】変更
【補正の内容】
【００２６】
【発明の効果】
以上の如くに、請求項１記載の発明によれば、スライド係合部とコネクタフレームとの位置ずれが起こらないから、スライド係合部を被係合部に係合させることで、電気接続箱と防水ボックスとの組付作業性が向上する。
また、請求項２記載の発明によれば、防水ボックス内におけるワイヤハーネスの余長を長く設定しなくとも、コネクタフレームを防水ボックス内に容易に組み付けることができるから、経済的であり且つ防水ボックスの肥大化が防止されると同時に、防水ボックスが小さくてワイヤハーネスの余長をとれない場合でも、スライド係合部の位置が正確に決まるので組付性が良い。
また、請求項３記載の発明によれば、スライドカバーとコネクタフレームとの位置ずれが起こらないから、スライドカバーをガイド溝に挿入することで、電気接続箱と防水ボックスとの組付作業性が向上する。
また、請求項４記載の発明によれば、コネクタフレームへのスライドカバーの組付が不要で、組付工数が削減され、組付作業性が一層向上する。
また、請求項５記載の発明によれば、ワイヤハーネスにスライドカバーを組み付けた後、スライドカバーをコネクタフレームに固定することができるから、作業手順の自由度が拡大され、それによって組付作業性が向上する。
また、請求項６記載の発明によれば、コネクタフレームにコネクタのコネクタハウジングを組み付ける手間が削減され、全体的な組付作業性が向上する。また、コネクタフレームとコネクタとの間の隙間がゼロになり、ガタ付きが防止されると共にコネクタの位置精度が向上し、相手コネクタとの嵌合精度が高まる。
また、請求項７記載の発明によれば、スライドカバーとコネクタフレームとの位置ずれが起こらないから、スライドカバーをガイド溝に挿入することで、コネクタフレームの係合孔部が支柱に簡単に係合し、組付作業性が向上する。
また、請求項８記載の発明によれば、電気接続箱のコネクタフレームごとに別々に支柱に係合させて防水ボックスに組み付けることができるから、組付タイミングを組付ラインの仕事量に応じて調整でき、効率的な組付作業を行うことができ、組付作業性が向上する。また、各コネクタフレームの係合孔部が一つの支柱に係合して位置決めされるから、コネクタフレームの位置精度が向上し、相手側コネクタに対するコネクタの嵌合がスムーズ且つ正確に行われる。
【手続補正５】
【補正対象書類名】明細書
【補正対象項目名】符号の説明
【補正方法】変更
【補正の内容】
【符号の説明】
Ａ          電気接続箱
１，２      コネクタフレーム
５，６      コネクタ
５ａ，６ａ  コネクタハウジング
８，１０    係合孔部
１２        防水ボックス
１３        支柱
２１，２２  スライドカバー（スライド係合部）
２３，２４ ハーネス導出口
２５，２６  ガイド溝（被係合部）